(57)【要約】【課題】保険内容の設定の利便性を向上させることができるオンライン保険シミュレーション装置を得る。【解決手段】自動車損害保険の各補償内容を設定するための画面７０は、自動車の車室内の車室内イメージ画像７２を表示すると共に、自動車損害保険の各補償内容の名称及び各補償内容に予め割り当てられた自動車の運転席周囲に位置する操作部７４の名称を文字で表した文字情報７６を表示している。文字情報７６は、その文字情報７６が表す操作部７４を指し示している。各操作部７４をマウスでクリックすることにより、その操作部７４に対応する補償内容を設定するための設定画面に遷移することが可能になっている。設定すべき各補償内容は、文字情報で表示されると共に保険の種類に関係する自動車の車室内の操作部に対応しているため、直感的で判りやすく、操作の利便性を向上させることができる。【選択図】　　　図７
2004030411.tif 000002
【特許請求の範囲】
【請求項１】
ユーザに属するユーザ側端末装置からネットワークを介して送信された保険の補償内容を表す補償内容情報に基づいて保険料をシミュレーションし、該シミュレーション結果を前記ネットワークを介して前記ユーザ側端末装置へ送信するオンライン保険シミュレーション装置において、
予め定めた保険の種類及び該種類毎に対応する補償内容を表す属性情報を記憶した保険テーブルと、
予め定めた空間を撮影したときの該空間内に存在する物品のイメージ画像を該空間内における配置と共に記憶したイメージメモリと、
前記保険テーブルに記憶された保険の種類及び属性情報の各々と、前記イメージメモリに記憶されたイメージ画像の各々との対応関係を記憶した対応テーブルと、
前記対応テーブルの対応関係を用いて、前記イメージ画像と共に該イメージ画像に対応する前記保険の種類及び属性情報の内容を表す画面を表示するための画面データを生成し、該生成した画面データを前記ネットワークを介して前記ユーザ側端末装置へ送信する制御手段と、
を備えたことを特徴とするオンライン保険シミュレーション装置。
【請求項２】
前記制御手段は、前記シミュレーション結果をアニメーション表示するためのアニメーション画面データを生成し、該生成したアニメーション画面データを前記ユーザ側端末装置へ送信することを特徴とする請求項１記載のオンライン保険シミュレーション装置。
【発明の詳細な説明】
【０００１】
【発明の属する技術分野】
本発明は、オンライン保険シミュレーション装置に係り、特に、インターネット等のネットワークを介して自動車保険等の保険設計のシミュレーション結果を提供することが可能なオンライン保険シミュレーション装置に関する。
【０００２】
【従来の技術】
近年、インターネットが急激に普及してきており、このインターネットを利用したサービスが増加の一途をたどっている。例えば、インターネット上に開設されたサイトに仮想の受付窓口を構築し、自動車保険や海外旅行保険等の各種保険のシミュレーションを行ってオンライン契約を受け付けるオンライン保険契約もこのようなサービスの一つである。
【０００３】
オンライン保険契約では、加入を希望するユーザはオンライン保険契約を受け付けるオンライン保険契約サイトにアクセスし、ユーザの端末に表示されたメニュー画面から契約したい保険を選択する。そして、選択した保険の各種制約条件や補償内容を選択すると、選択した条件に応じた保険料金がシミュレーションにより算出されてユーザに提示され、ユーザが契約するといった仕組みになっている。
【０００４】
【発明が解決しようとする課題】
しかしながら、従来のオンライン保険契約では、補償内容等を選択するための画面は、主に文字情報によって構成され、文字情報で構成された各項目の一覧から希望の条件を選択するようになっていたため、内容が見づらくてわかりにくく、利便性が悪い、という問題があった。また、画面構成が無味乾燥なイメージで、親しみやすくない、という問題もあった。
【０００５】
本発明は、上記事実を考慮して、保険内容の設定の利便性を向上させることができるオンライン保険シミュレーション装置を得ることが目的である。
【０００６】
【課題を解決するための手段】
上記目的を達成するために請求項１記載の発明は、ユーザに属するユーザ側端末装置からネットワークを介して送信された保険の補償内容を表す補償内容情報に基づいて保険料をシミュレーションし、該シミュレーション結果を前記ネットワークを介して前記ユーザ側端末装置へ送信するオンライン保険シミュレーション装置において、予め定めた保険の種類及び該種類毎に対応する補償内容を表す属性情報を記憶した保険テーブルと、予め定めた空間を撮影したときの該空間内に存在する物品のイメージ画像を該空間内における配置と共に記憶するイメージメモリと、前記保険テーブルに記憶された保険の種類及び属性情報の各々と、前記イメージメモリに記憶されたイメージ画像の各々との対応関係を記憶した対応テーブルと、前記対応テーブルの対応関係を用い、前記イメージ画像を選択指示することで前記保険の種類及び属性情報のうち対応する内容が選択される画面を表示するための画面データを、前記ネットワークを介して前記ユーザ側端末装置へ送信する制御手段と、を備えたことを特徴とする。
【０００７】
オンライン保険シミュレーション装置は、ユーザに属するユーザ側端末装置からネットワークを介して送信された保険の補償内容を表す補償内容情報に基づいて保険料をシミュレーションする。そして、シミュレーション結果、すなわちユーザが設定した補償内容に応じて算出された保険料を表す保険料情報等をネットワークを介してユーザ側端末装置へ送信する。これにより、ユーザ側では、補償内容を設定するだけでこれに応じた保険料を容易に知ることができる。
【０００８】
保険テーブルは、予め定めた保険の種類及び該種類毎に対応する補償内容を表す属性情報を記憶している。保険の種類には、例えば自動車損害保険やスキー傷害保険、海外旅行保険、スポーツ保険等がある。属性情報は補償内容を表すものであり、この補償内容には、自動車損害保険であれば、例えば対人補償額や対物補償額等がある。
【０００９】
イメージメモリは、予め定めた空間を撮影したときの該空間内に存在する物品のイメージ画像を該空間内における配置と共に記憶している。このイメージ画像は、保険の種類に関係するものであり、例えば自動車損害保険であれば、自動車の車室内を撮影したときの車室内に存在するハンドルやシフトレバー等のイメージ画像である。
【００１０】
対応テーブルは、保険テーブルに記憶された保険の種類及び属性情報の各々と、イメージメモリに記憶されたイメージ画像の各々との対応関係を記憶している。すなわち、保険の補償内容を表す属性情報に、保険の種類に関係するイメージ画像が予めそれぞれ割り当てられている。例えば、自動車損害保険の対人補償には自動車のハンドルが割り当てられる等である。これにより、保険の属性情報を指定することにより、これに対応したイメージ画像を取得することが可能となる。
【００１１】
制御手段は、対応テーブルの対応関係を用いて、イメージ画像と共に該イメージ画像に対応する保険の種類及び属性情報の内容を表す画面を表示するための画面データを生成する。そして、制御手段は、生成した画面データをネットワークを介してユーザ側端末装置へ送信する。
【００１２】
イメージ画像と共に該イメージ画像に対応する保険の種類及び属性情報の内容を表す画面は、例えば補償内容を選択するための画面である。そして、この画面では、例えばイメージ画像を選択指示することによって、補償内容を選択することができる。
【００１３】
このように、保険の種類に関係するイメージ画像と共にこれに対応する保険の種類及び属性情報の内容を表す画面の画面データをユーザ側端末装置に送信するため、ユーザは、画面の内容を直感的かつ容易に認識することができ、保険内容の設定の利便性を向上させることができる。
【００１４】
また、請求項２に記載したように、前記制御手段は、前記シミュレーション結果をアニメーション表示するためのアニメーション画面データを生成し、該生成したアニメーション画面データを前記ユーザ側端末装置へ送信するようにしてもよい。これにより、単に金額を表示するだけの場合と比較して、画面表示が無味乾燥なイメージになるのを防ぐことができる。
【００１５】
【発明の実施の形態】
以下、図面を参照して本発明の実施の形態の一例を詳細に説明する。本実施の形態は、ネットワーク接続可能なコンピュータネットワークシステムに、本発明を適用したものである。
【００１６】
図１には、本発明の実施に供されるネットワークシステムの構成を模式的に示している。本実施の形態では、ネットワークシステム１０は、通信媒体として、インターネットやその他のネットワークとしてのＬＡＮ（Ｌｏｃａｌ　Ａｒｅａ　Ｎｅｔｗｏｒｋ）で代表されるネットワーク１２を含んで構成される。
【００１７】
インターネットで代表されるネットワーク１２には、サーバコンピュータ２０、ユーザコンピュータ２２が、それぞれモデム、ルータ、ＴＡ（ターミナル・アダプタ：Ｔｅｒｍｉｎａｌ　Ａｄａｐｔｅｒ）等の接続装置を介して接続されている。これらのコンピュータは、ネットワーク１２を介して、相互通信により情報授受が可能な構成である。
【００１８】
ネットワーク１２では、モデムやルータ等の接続装置を経由して相互接続が可能であり、このようなネットワーク上のコンピュータ同士は、例えばＴＣＰ／ＩＰ（Ｔｒａｎｓｍｉｓｓｉｏｎ　Ｃｏｎｔｒｏｌ　Ｐｒｏｔｏｃｏｌ／Ｉｎｔｅｒｎｅｔ　Ｐｒｏｔｏｃｏｌ）などの所定の通信プロトコルに従って相互アクセスが可能である。従って、ネットワークシステム１０上には、無数のサーバコンピュータ（ホスト端末）やユーザコンピュータ（ユーザ端末）が接続された構成となる。
【００１９】
これらコンピュータ・システムは、一部のコンピュータは各種の資源サービスを有償又は無償で提供する「サーバ」、他の一部はサーバに対して資源サービスを要求する「クライアント」として稼動する、所謂サーバ・クライアント・システムとして機能する。
【００２０】
ここでは、サーバコンピュータ２０は１台で説明するが、本発明はこれに限定されるものではなく、機能別に分散して複数台で構成してもよい。
【００２１】
本実施の形態では、ネットワークとしてインターネットを適用した場合を説明する。この場合、少なくとも１つのコンピュータは、ＷＷＷ（Ｗｏｒｌｄ　Ｗｉｄｅ　Ｗｅｂ）サーバとして機能させることができ、また他のコンピュータはＷＷＷクライアントとして機能させることもできる。
【００２２】
詳細には、各コンピュータには、ＷＷＷブラウザがインストールされており、このＷＷＷブラウザを起動することにより、ネットワーク１２を介してサーバコンピュータ２０に任意にアクセス可能となる。このとき、アクセス位置（アクセス先のコンピュータの位置、及びコンピュータ内の情報の位置で構成されるデータ）は、ＵＲＬ（Ｕｎｉｆｏｒｍ　Ｒｅｓｏｕｒｃｅ　Ｌｏｃａｔｏｒ）で指定される。
【００２３】
また、データは、一般に、ＨＴＴＰ（Ｈｙｐｅｒ　Ｔｅｘｔ　Ｔｒａｎｓｆｅｒ　Ｐｒｏｔｏｃｏｌ）に従って転送させることができる。コンピュータの識別には、ＩＰ（Ｉｎｔｅｒｎｅｔ　Ｐｒｏｔｏｃｏｌ）アドレスを用いることができ、また、コンピュータを操作するユーザの識別には、ユーザ自信の入力や、予め定められているコード等のユーザＩＤを用いることができる。
【００２４】
図２には、サーバコンピュータ２０の概略構成が示されている。サーバコンピュータ２０は、各種保険のシミュレーションを行う保険サイトを開設するコンピュータであり、ＣＰＵ２６Ａ（制御手段）、ＲＯＭ２６Ｂ、ＲＡＭ２６Ｃ、入出力ポート（Ｉ／Ｏ）２６Ｄを備え、これらはアドレスバス、データバス、制御バス等のバスを介して互いに接続されている。
【００２５】
入出力ポート２６Ｄには、通信装置２６Ｅ、各種の入出力機器として、ポインティング・デバイスであるマウス２６Ｆ、キーボード２６Ｇ、ＣＲＴやＬＣＤから成るディスプレイ２６Ｈ、記憶媒体に対してデータやコマンドの読み出し及び書き出しの少なくとも一方を行う記録装置（Ｒ／Ｗ）２６Ｊ、後述する各種データやデータベースを記憶するハードディスク装置等の記憶装置２６Ｋが各々接続されている。記憶装置２６Ｋには、後述する処理ルーチン等の処理プログラムを記憶したファイル２８、ユーザコンピュータ２２で保険の設定を行うための設定画面やシミュレーション結果を表示するための表示画面等の画面データを生成するために必要な予め定めた保険の種類及び該種類毎に対応する補償内容を表す属性情報を記憶した保険テーブル３０、予め定めた空間を撮影したときの該空間内に存在する物品のイメージ画像を該空間内における配置と共に記憶したイメージ画像３１、保険テーブルに記憶された保険の種類及び属性情報の各々と、イメージ画像３１の各々との対応関係を記憶した対応テーブル３２等が記憶されている。
【００２６】
保険テーブル３０は、予め定めた保険の種類及び該種類毎に対応する補償内容を表す属性情報を記憶している。保険の種類には、例えば自動車損害保険やスキー傷害保険、海外旅行保険、スポーツ保険等がある。属性情報は補償内容を表すものであり、この補償内容には、自動車損害保険であれば、例えば対人補償額や対物補償額等がある。
【００２７】
イメージ画像３１は、予め定めた空間を撮影したときの該空間内に存在する物品のイメージ画像を該空間内における配置と共に記憶している。このイメージ画像は、保険の種類に関係するものであり、例えば自動車損害保険であれば、自動車の車室内を撮影したときの車室内に存在するハンドルやシフトレバー等のイメージ画像である。
【００２８】
対応テーブルは、保険テーブルに記憶された保険の種類及び属性情報の各々と、イメージ画像３１の各々との対応関係を記憶している。すなわち、保険の補償内容を表す属性情報に、保険の種類に関係するイメージ画像３１が予めそれぞれ割り当てられている。例えば、自動車損害保険の対人補償には自動車のハンドルが割り当てられる等である。
【００２９】
この保険テーブル３０、イメージ画像３１、及び対応テーブルから、画面データが生成される。この画面データは、例えばＨＴＭＬ（Ｈｙｐｅｒ　Ｔｅｘｔ　Ｍａｒｋｕｐ　Ｌａｎｇｕａｇｅ）形式で作成される。
【００３０】
通信装置２６Ｅは、他のコンピュータと相互通信による情報授受を可能とするためにネットワーク１２に接続されている。この通信装置２６Ｅには、例えば、電話回線やインターネットに接続するためのモデム、ルータ、ＴＡ（ターミナル・アダプタ：Ｔｅｒｍｉｎａｌ　Ａｄａｐｔｅｒ）等の接続装置がある。
【００３１】
上記記録装置２６Ｊには、記録媒体としてのフレキシブルディスクが挿抜可能なフレキシブルディスクユニット（ＦＤＵ）がある。なお、後述する処理ルーチン等は、ＦＤＵを用いてフレキシブルディスクに対して読み書き可能である。従って、後述する処理ルーチンは、ＲＯＭ２６Ｂに記憶することなく、予めフレキシブルディスクに記録しておき、ＦＤＵを介してフレキシブルディスクに記録された処理プログラムを実行してもよい。本実施の形態では、サーバコンピュータ２０に装備したハードディスク装置等の大容量の記憶装置２６Ｋに、フレキシブルディスク等の記憶媒体に記録された処理プログラムを格納（インストール）して該当する処理を実行する。なお、記録媒体としては、ＣＤ−ＲＯＭ，ＭＤ，ＭＯ，ＤＶＤ等のディスクやＤＡＴ等の磁気テープがあり、これらを用いるときには、上記ＦＤＵに代えてまたはさらにＣＤ−ＲＯＭ装置、ＭＤ装置、ＭＯ装置、ＤＶＤ装置、ＤＡＴ装置等を用いればよい。
【００３２】
図３には、ユーザコンピュータ２２の概略構成が示されている。ユーザコンピュータ２２は、各種保険の設定を行うためのコンピュータであり、上記サーバコンピュータ２０とほぼ同様に、ＣＰＵ５２Ａ、ＲＯＭ５２Ｂ、ＲＡＭ５２Ｃ、入出力ポート（Ｉ／Ｏ）５２Ｄを備え、これらはアドレスバス、データバス、制御バス等のバスを介して互いに接続されている。入出力ポート５２Ｄには、通信装置５２Ｅ、各種の入出力機器として、ポインティング・デバイスであるマウス５２Ｆ、キーボード５２Ｇ、ＣＲＴやＬＣＤから成るディスプレイ５２Ｈ、記憶媒体に対してデータやコマンドの読み出し及び書き出しの少なくとも一方を行う記録装置（Ｒ／Ｗ）５２Ｊ、後述する各種データやデータベースを記憶するハードディスク装置等の記憶装置５２Ｋが各々接続されている。記憶装置５２Ｋには、後述する処理ルーチン等の処理プログラムを記憶したファイル５４が含まれている。
【００３３】
次に、本実施形態の作用として、サーバコンピュータ２０及びユーザコンピュータ２２の処理を説明する。サーバコンピュータ２０では、図４に示す処理ルーチンが所定期間毎に実行され、ユーザコンピュータ２２では、図５に示す処理ルーチンが所定期間毎に実行される。
【００３４】
まず、ユーザコンピュータ２２は、図５に示すステップ２００において、ユーザの所定の操作によってサーバコンピュータ２０へアクセスする指示がなされたか否か、すなわち、ユーザによって保険サイトへのアクセス指示がなされたか否かが判断される。そして、アクセス指示がなされていない場合には、ステップ２００の判断が否定され、本ルーチンを終了する。
【００３５】
一方、アクセス指示がなされた場合には、ステップ２００の判断が肯定され、次のステップ２０２において、サーバコンピュータ２０へアクセスする。
【００３６】
サーバコンピュータ２０では、図４のステップ１００において、保険サイトに対してアクセス要求がなされたか否かを判断する。そして、保険サイトへアクセス要求がなされていない場合には、ステップ１００の判断が否定され、ステップ１０４へ進む。
【００３７】
一方、保険サイトへアクセス要求がなされた場合には、ステップ１００の判断が肯定され、次のステップ１０２において、図６に示すようなメニュー画面６０を表示させるためのメニュー画面データをユーザコンピュータ２２へ送信する。
【００３８】
ユーザコンピュータ２２では、図５のステップ２０４において、サーバコンピュータ２０からメニュー画面ファイルを受信したか否かが判断される。そして、メニュー画面ファイルを受信していない場合には、ステップ２０４の判断が否定され、メニュー画面ファイルを受信するまで待機する。
【００３９】
一方、サーバコンピュータ２０からメニュー画面ファイルを受信した場合には、ステップ２０４の判断が肯定され、次のステップ２０６において、受信したメニュー画面データに従って図６に示すようなメニュー画面６０をディスプレイ５２Ｈに表示させる。
【００４０】
メニュー画面６０は、図６に示すように、各種保険の名称を文字で表した名称６２と、各名称６２に対応するイメージ画像６４と、を含んで構成されており、名称６２が画面左側に表示され、それに対応するイメージ画像６４がその右側に表示されている。すなわち、自動車損害保険の名称６２の右側に自動車のイメージ画像６４が表示され、スキー傷害保険の名称６２の右側にスキーヤーのイメージ画像６４が表示され、海外旅行保険の名称６２の右側に地球及び飛行機のイメージ画像６４が表示され、スポーツ保険の名称６２の右側に野球選手のイメージ画像６４が表示される。
【００４１】
このように、保険の種類に関係するイメージ画像が名称と共に表示されるため、ユーザがメニュー画面６０を見たときに、各保険の種類を直感的かつ容易に認識することができる。
【００４２】
また、名称６２又はイメージ画像６４が表示されている領域をマウス５２Ｆでクリックすることにより、その名称６２又はイメージ画像６４に対応する保険を選択することが可能になっている。すなわち、名称６２又はイメージ画像６４が表示されている領域にそれぞれに対応するリンクが張られており、ユーザが保険料のシミュレーションを希望する保険の名称６２又はイメージ画像６４をマウス５２Ｆによってクリックすると、そのリンク先の画面ファイル、すなわち選択した保険の設定画面を表示するための画面ファイルを要求するための要求信号がサーバコンピュータ２０へ送信され、サーバコンピュータ２０は、要求された画面ファイルをユーザコンピュータ２２へ送信する。これにより、選択した保険の設定画面がユーザコンピュータ２２に表示される。
【００４３】
ユーザコンピュータ２２は、ステップ２０８において、画面切り替え操作がなされたか否かを判断する。画面切り替え操作とは、例えば図６のメニュー画面６０が表示されている状態では、名称６２又はイメージ画像６４をマウス５２Ｆでクリックする操作である。換言すれば、リンクが張られている領域をクリックし、そのリンク先の画面ファイルを要求する操作である。
【００４４】
画面切り替え操作がなされていない場合には、ステップ２０８の判断が否定され、ステップ２１２へ進む。一方、画面切り替え操作がなされた場合には、ステップ２０８の判断が肯定され、次のステップ２１０でその操作に対する対応処理がなされる。例えば、図６のメニュー画面６０が表示されている状態において、自動車損害保険の名称６２又はイメージ画像６４をマウス５２Ｆでクリックすると、そのリンク先の画面ファイル、例えば図７に示すような画面７０を表示させるための画面ファイルを要求するための要求信号をサーバコンピュータ２０へ送信する。
【００４５】
サーバコンピュータ２０では、図４のステップ１０４において、ファイル要求信号を受信したか否かを判断する。ファイル要求信号を受信していない場合には、ステップ１０４の判断が否定され、ステップ１０８へ進む。
【００４６】
一方、ファイル要求信号を受信した場合には、ステップ１０４の判断が肯定され、次のステップ１０６において、対応処理が行われる。具体的には、受信したファイル要求信号に対応する画面データを生成してユーザコンピュータ２２へ送信する。
【００４７】
ユーザコンピュータ２２では、図５のステップ２１２において、画面ファイルを受信したか否かを判断し、受信していない場合には、ステップ２１２の判断が否定され、要求した画面ファイルを受信するまで待機する。
【００４８】
一方、要求した画面ファイルを受信した場合には、ステップ２１２の判断が肯定され、次のステップ２１４において、対応処理が行われる。具体的には、まず受信した画面ファイルに基づく画面をディスプレイ５２Ｈに表示させる。これにより、例えば図６のメニュー画面６０が表示されている状態において、自動車損害保険の名称６２又はイメージ画像６４をマウス５２Ｆでクリックした場合には、図７に示すような画面７０が表示される。
【００４９】
画面７０は、図７に示すように、自動車の車室内の車室内イメージ画像７２が表示されると共に、自動車損害保険の各補償内容の名称及び各補償内容に予め割り当てられた自動車の運転席周囲に位置する操作部７４の名称を文字で表した文字情報７６が表示されている。すなわち、対人補償額にはハンドルが割り当てられ、運転者年齢条件にはウィンカーが割り当てられ、対物補償額にはシフトレバーが割り当てられ、同乗者補償にはワイパーが割り当てられ、運転者家族限定特約にはハザードランプがそれぞれ割り当てられている。
【００５０】
そして、文字情報７６は、その文字情報７６が表す操作部７４を指し示している。さらに、画面７０の右下には、保険料を算出するときにクリックされるべき保険料算出ボタン７８が表示されている。なお、画面７０は、一例であり、さらに他の補償内容を設定することができるように構成してもよい。
【００５１】
また、各操作部７４をマウス５２Ｆでクリックすることにより、その操作部７４に対応する補償内容を設定することが可能になっている。すなわち、操作部７４にそれぞれに対応するリンクが張られており、ユーザが設定を希望する補償内容に対応する操作部７４をマウス５２Ｆによってクリックすると、そのリンク先の画面ファイル、すなわち選択した補償内容の設定画面を表示するための画面ファイルを要求するための要求信号がサーバコンピュータ２０へ送信され、サーバコンピュータ２０は、要求された画面ファイルをユーザコンピュータ２２へ送信する。これにより、選択した保険の設定画面がユーザコンピュータ２２に表示される。
【００５２】
この画面７０の画面データは、保険テーブル３０、イメージ画像３１、及び対応テーブル３２に基づいて生成される。すなわち、ユーザが選択した保険の種類から、この保険の種類に対応する補償内容を表す属性情報を保険テーブル３０に基づいて取得し、取得した属性情報に対応するイメージ画像３１を対応テーブル３２に基づいて取得する。そして、取得したイメージ画像３１とこれに対応する属性情報の内容を表す画面の画面データを生成する。
【００５３】
このように、自動車の車室内のイメージ画像が表示されるため、自動車損害保険の設定に関する画面であることをユーザは直感的かつ容易に認識することができる。また、設定すべき各補償内容は、文字情報で表示されると共に車室内の操作部に対応しているため、各補償内容を設定する場合には、文字情報が指し示している操作部をクリックすればよいことを直感的かつ容易に認識することができる。
【００５４】
また、図８には、図７の画面７０において、対人補償額を設定する場合にクリックされるべき操作部（ハンドル）７４をクリックしたときに表示される画面８０を示した。
【００５５】
画面８０は、対人補償額を設定するための設定画面であり、ハンドル８２のイメージ画像と、ハンドル８２の左側に表示された補償額を表すインジケータ８４と、補償額を決定するときにクリックされるべき決定ボタン８６を含んで構成されている。
【００５６】
画面８０では、ハンドル８２をマウス５２Ｆでドラッグして右側に回転させることによって対人補償額を増加させることができ、逆に左側に回転させることによって対人補償額を減少させることができる。また、ハンドル８２の回転に伴って、インジケータ８４で示される対人補償額が増減するようになっている。このようにハンドル８２を回転させることによってインジケータ８４の表示が変化するようにするためのプログラムは、例えばＪａｖａ（Ｒ）アプリとして画面８０の画面ファイル（ＨＴＭＬファイル）に埋め込むことができる。
【００５７】
このように、ハンドルを操作する間隔で対人補償額を設定することができ、直感的かつ容易に補償額を設定することができると共に、遊び感覚で設定することができ、親しみやすさを増すことができる。
【００５８】
画面８０が表示された状態で、決定ボタン８６がクリックされると、そのときの対人補償額が決定され、ＲＡＭ５２Ｃに記憶されると共に、画面７０に表示が戻る。
【００５９】
このように、ユーザコンピュータ２２では、図５に示すステップ２０８〜２１４の処理が、サーバコンピュータ２０では、図４に示すステップ１０４〜１０６の処理が繰り返されることによって、他の補償内容（例えば対物補償額等）の設定を行うことができる。なお、他の補償内容の設定画面は、図示は省略したが、対人補償額を設定するための画面８０と同様に、それぞれの操作部をイメージ画像を含んで構成され、操作部をマウスで操作することによって補償額や条件を設定することができるようになっており、直感的かつ容易に設定することが可能になっている。
【００６０】
そして、ユーザコンピュータ２２では、図５のステップ２１６において、保険料算出ボタン７８がクリックされたか否かを判断する。そして、保険料算出ボタン７８がクリックされていない場合には、ステップ２１６の判断が否定され、ステップ２０８へ戻って上記の処理を繰り返す。
【００６１】
一方、保険料算出ボタン７８がクリックされた場合には、ステップ２１６の判断が肯定され、次のステップ２１８において、対応処理を行う。具体的には、まずＲＡＭ５２Ｃに記憶されたユーザが設定した対人補償額、運転者年齢条件、対物補償額、同乗者補償額、運転者家族限定特約の条件等の各補償内容を設定情報としてサーバコンピュータ２０へ送信する。そして、サーバコンピュータ２０からの保険料画面ファイルを受信するまで待機する。
【００６２】
サーバコンピュータ２０では、図４のステップ１０８において、設定情報を受信したか否かを判断する。そして、設定情報を受信していない場合には、ステップ１０８の判断が否定され、本ルーチンを終了する。
【００６３】
一方、設定情報を受信した場合には、ステップ１０８の判断が肯定され、次のステップ１１０において、受信した設定情報に基づいて保険料を算出する。そして、次のステップ１１２において、算出した保険料を表示するための保険料画面データを生成し、次のステップ１１４で保険料画面データをユーザコンピュータ２２へ送信する。
【００６４】
これにより、ユーザコンピュータ２２では、保険料画面データを受信し、受信した保険料画面ファイルに基づいて図９（Ａ）〜（Ｃ）に示すように保険料をアニメーション表示する。すなわち、保険料画面データは、図９（Ａ）〜（Ｃ）に示すように、自動車９０が画面左側から徐々に右側へ移動すると共に、算出した保険料が徐々に表示されるようにするプログラムを含むファイルである。これは、例えばこのようなプログラムをＪａｖａ（Ｒ）アプリとしてＨＴＭＬファイルである保険料画面ファイルに埋め込むことによって実現することができる。
【００６５】
このように、保険料がアニメーション表示されるため、単に金額を表示するだけの場合と比較して、無味乾燥なイメージをユーザに抱かせるのを防ぐことができる。
【００６６】
ユーザコンピュータ２２において、上記のような対応処理が行われると、次のステップ２２０で、終了が指示されたか否かを判断し、終了が指示されていない場合には、ステップ２０８へ戻り、終了が指示された場合には、本ルーチンを終了する。
【００６７】
このように、本実施の形態では、保険の種類に関連したイメージ画像を用いて各補償内容の設定を行うことができるように構成したため、各補償内容の設定の利便性を向上させることができる。
【００６８】
なお、本実施の形態では、主に自動車損害保険の補償内容を設定する場合について説明したが、スキー傷害保険や海外旅行保険、スポーツ保険の場合も自動車損害保険の場合と同様に構成することができる。例えば、スキー傷害保険の場合には、スキー場をイメージした画面で各補償内容の設定を行うことができるようにし、算出した保険料は、スキーヤーの滑降のアニメーション表示により表示させるようにすることができる。
【００６９】
【発明の効果】
以上説明したように本発明によれば、保険内容の設定の利便性を向上させることができる、という効果を有する。
【図面の簡単な説明】
【図１】本実施の形態に係るネットワークシステムの概略構成を示したブロック図である。
【図２】サーバコンピュータの概略構成を示したブロック図である。
【図３】ユーザコンピュータの概略構成を示したブロック図である。
【図４】サーバコンピュータで実行される処理ルーチンのフローチャートである。
【図５】ユーザコンピュータで実行される処理ルーチンのフローチャートである。
【図６】メニュー画面の一例を示す図である。
【図７】自動車損害保険の各種条件を選択するための選択画面の一例を示す図である。
【図８】対人補償額を設定するための設定画面の一例を示す図である。
【図９】保険料をアニメーション表示するためのアニメーション画面の一例を示す図である。
【符号の説明】
１０　ネットワークシステム
１２　ネットワーク
２０　サーバコンピュータ（オンライン保険シミュレーション装置）
２２　ユーザコンピュータ
【図１】
2004030411.tif 000003
【図２】
2004030411.tif 000004
【図３】
2004030411.tif 000005
【図４】
2004030411.tif 000006
【図５】
2004030411.tif 000007
【図６】
2004030411.tif 000008
【図７】
2004030411.tif 000009
【図８】
2004030411.tif 000010
【図９】
2004030411.tif 000011